(57)【要約】【課題】取付けられた基板からの突出量の小さい垂直嵌合型コネクタを提供することを目的とする。【解決手段】垂直嵌合型コネクタ４０はケーブル側コネクタ１０および基板側コネクタ３０によって構成されている。電子基板に取付けられるコネクタ３０は、基板側ハウジング３１上に、電子基板への取付部３２ｃと、取付部３２ｃに連結され互いに対向して電子基板と平行な方向に延びる一対の可撓片３２ａを含んだ基板側端子金具３２を備えている。コネクタ１０は、ケーブル側ハウジング１２上に、電線接続部１３ｂと、電線接続部１３ｂに連結されたタブ１３ｃを含んだケーブル側端子金具１３を備えており、コネクタ１０をコネクタ３０に対して電子基板に垂直な方向に嵌合させることによって、タブ１３ｃが端子金具３２の可撓片３２ａ間に、可撓片３２ａの延びる方向と垂直な方向に挿入されることで、端子金具１３が端子金具３２と嵌合し電気的に接続される。【選択図】  図６
2004247086.tif 000002
【特許請求の範囲】
【請求項１】
基板に取付けられた一方のコネクタに対して、他方のコネクタが基板に略垂直な方向に嵌合する垂直嵌合型コネクタにおいて、
基板側ハウジングに設置され、基板への取付部と、前記取付部に連結され、互いに対向して基板と略平行な方向に延びる一対の可撓片を含んだ基板側端子金具と、
ケーブル側ハウジングに設置され、電線に取付けられる電線接続部と前記電線接続部に連結されたタブを含み、前記基板側ハウジングに前記ケーブル側ハウジングを基板に対し略垂直な方向に嵌合させることによって、前記タブが前記基板側端子金具の可撓片間に、前記可撓片の延びる方向に対し略垂直な方向に挿入されることで前記基板側端子金具と嵌合し電気的に接続されるケーブル側端子金具を備えたことを特徴とする垂直嵌合型コネクタ。
【請求項２】
基板に取付けられた一方のコネクタに対して、他方のコネクタが基板に略垂直な方向に嵌合する垂直嵌合型コネクタにおいて、
基板側ハウジングに設置され、基板への取付部と、前記取付部に連結され、互いに対向して基板と略平行な方向に延びる一対の可撓片を含んだ基板側端子金具と、
ケーブル側ハウジングに設置され、電線に取付けられる電線接続部と前記電線接続部に連結されたタブを含み、前記基板側ハウジングに前記ケーブル側ハウジングを基板に対し略垂直な方向に接近させることによって、前記タブが前記基板側端子金具の可撓片付近に配置された後、前記基板側ハウジングに対して前記ケーブル側ハウジングを基板に対し略平行な方向に嵌合させることによって、前記タブが前記可撓片の延びる方向に移動されて、前記可撓片間に挿入されることで前記基板側端子金具と嵌合し電気的に接続されるケーブル側端子金具を備えたことを特徴とする垂直嵌合型コネクタ。
【請求項３】
前記基板側端子金具および前記ケーブル側端子金具はそれぞれ複数個備えられ、前記ケーブル側端子金具は前記ケーブル側ハウジング上において、その隣接するもの同士について、前記基板側端子金具の可撓片の延びる方向において、前記タブが前記電線接続部に対して互いに反対側に位置するように配置されることを特徴とする請求項１または２記載の垂直嵌合型コネクタ。
【請求項４】
前記ケーブル側端子金具は、前記電線接続部と前記タブとを連結する基体を含んでおり、前記タブは前記基体の端部に形成され、前記基板側端子金具と前記ケーブル側端子金具とを嵌合させる際に、前記基板側端子金具の上方に前記ケーブル側端子金具の基体が配置されないことを特徴とする請求項１乃至３の内のいずれか記載の垂直嵌合型コネクタ。
【発明の詳細な説明】
【０００１】
【発明の属する技術分野】
本発明は、基板に取付けられた一方のコネクタに対して、他方のコネクタが基板に垂直な方向に嵌合する垂直嵌合型コネクタに関する。
【０００２】
【従来の技術】
垂直嵌合型コネクタとして、互いに対向した一対の可撓片を含んだ鋏状の基板側端子金具が一方のコネクタハウジングに取付けられ、他方のコネクタハウジングに取付けられたケーブル側端子金具が可撓片の長手方向に進んで、基板側端子金具の可撓片間に挿入されるものがあった（例えば、特許文献１参照）。
【０００３】
【特許文献１】
特開２００１−３５７９００公報（第１０図）
【０００４】
【発明が解決しようとする課題】
上述した従来技術による垂直嵌合型コネクタにおいては、コネクタハウジングが基板に取付けられることにより、基板側端子金具の可撓片が電子基板上に起立するためコネクタの基板からの突出量が大きく、基板まわりの省スペース化の点において問題を含んでいた。
【０００５】
本発明は上記のような事情に基づいて完成されたものであって、取付けられた基板からの突出量の小さい垂直嵌合型コネクタを提供することを目的とする。
【０００６】
【課題を解決するための手段】
上記の目的を達成するための手段として、請求項１の発明は、基板に取付けられた一方のコネクタに対して、他方のコネクタが基板に略垂直な方向に嵌合する垂直嵌合型コネクタにおいて、基板側ハウジングに設置され、基板への取付部と、前記取付部に連結され、互いに対向して基板と略平行な方向に延びる一対の可撓片を含んだ基板側端子金具と、ケーブル側ハウジングに設置され、電線に取付けられる電線接続部と前記電線接続部に連結されたタブを含み、前記基板側ハウジングに前記ケーブル側ハウジングを基板に対し略垂直な方向に嵌合させることによって、前記タブが前記基板側端子金具の可撓片間に、前記可撓片の延びる方向に対し略垂直な方向に挿入されることで前記基板側端子金具と嵌合し電気的に接続されるケーブル側端子金具を備えたことを特徴とする垂直嵌合型コネクタとした。
【０００７】
請求項２の発明は、基板に取付けられた一方のコネクタに対して、他方のコネクタが基板に略垂直な方向に嵌合する垂直嵌合型コネクタにおいて、基板側ハウジングに設置され、基板への取付部と、前記取付部に連結され、互いに対向して基板と略平行な方向に延びる一対の可撓片を含んだ基板側端子金具と、ケーブル側ハウジングに設置され、電線に取付けられる電線接続部と前記電線接続部に連結されたタブを含み、前記基板側ハウジングに前記ケーブル側ハウジングを基板に対し略垂直な方向に接近させることによって、前記タブが前記基板側端子金具の可撓片付近に配置された後、前記基板側ハウジングに対して前記ケーブル側ハウジングを基板に対し略平行な方向に嵌合させることによって、前記タブが前記可撓片の延びる方向に移動されて、前記可撓片間に挿入されることで前記基板側端子金具と嵌合し電気的に接続されるケーブル側端子金具を備えたことを特徴とする垂直嵌合型コネクタとした。
【０００８】
請求項３の発明は、前記基板側端子金具および前記ケーブル側端子金具はそれぞれ複数個備えられ、前記ケーブル側端子金具は前記ケーブル側ハウジング上において、その隣接するもの同士について、前記基板側端子金具の可撓片の延びる方向において、前記タブが前記電線接続部に対して互いに反対側に位置するように配置されることを特徴とする請求項１または２記載の垂直嵌合型コネクタとした。
【０００９】
請求項４の発明は、前記ケーブル側端子金具は、前記電線接続部と前記タブとを連結する基体を含んでおり、前記タブは前記基体の端部に形成され、前記基板側端子金具と前記ケーブル側端子金具とを嵌合させる際に、前記基板側端子金具の上方に前記ケーブル側端子金具の基体が配置されないことを特徴とする請求項１乃至３の内のいずれか記載の垂直嵌合型コネクタとした。
【００１０】
【発明の作用及び効果】
＜請求項１の発明＞
基板側端子金具の一対の可撓片は、基板と略平行な方向に延びているため、ハウジングを基板に取付けた際に基板からの突出量の小さい垂直嵌合型コネクタとすることができる。
【００１１】
＜請求項２の発明＞
基板側端子金具の一対の可撓片は、基板と略平行な方向に延びているため、基板に取付けた際に基板からの突出量の小さい垂直嵌合型コネクタとすることができるとともに、タブを基板に対して略垂直な方向に移動させて、基板側端子金具の可撓片付近に配置させた後、可撓片の延びる方向に移動させることでコネクタを嵌合させるため、基板からの突出量を小さくするために双方の端子金具の基板への取付方向の嵌合代を小さくしても、可撓片の延びる方向の嵌合代を大きくとることができるため、コネクタの嵌合不全を防ぐ垂直嵌合型コネクタとすることができる。
【００１２】
＜請求項３の発明＞
ケーブル側端子金具の隣接するもの同士について、基板側端子金具の可撓片の延びる方向においてタブが電線接続部に対して互いに反対側に位置するように配置されたことによって、ケーブル側端子金具の電線接続部とタブとの連結部位が、隣接するもの同士について互いに反対側に配置されるため、相互に干渉することがない。また、嵌合相手である基板側端子金具同士も同様に、相互に位置がずれて配置されるため互いに干渉することなく、コネクタハウジング内において少ないスペースに合理的に配置できる。
【００１３】
＜請求項４の発明＞
タブは基体の端部に形成され、基板側端子金具とケーブル側端子金具とを嵌合させる際に、基板側端子金具の上方にケーブル側端子金具の基体が配置されないようにしたため、垂直方向において基板側端子金具がケーブル側端子金具の基体と干渉することがなく、基板側ハウジングあるいはケーブル側ハウジングの垂直方向の高さを小さくでき、基板からの突出量の小さい垂直嵌合型コネクタとすることができる。
【００１４】
【発明の実施の形態】
＜第１実施形態＞
本発明の第１実施形態を図１乃至図８によって説明する。ケーブル側コネクタ１０はケーブル側ハウジング１２と、導電体で形成されケーブル側ハウジング１２に回動可能に取付けられたシールドシェル１１を備えている。平板状のシールドシェル１１はその一端における２箇所のヒンジ部１１ａにて、ケーブル側ハウジング１２に回動可能に取付けられている。シールドシェル１１には、その長手方向の両端に折曲部１１ｂが形成され、それぞれの折曲部１１ｂには第１ロック孔１１ｂ１が形成されている。また、シールドシェル１１の折曲部１１ｂ間には、第２ロック孔１１ｃが形成されている。更に、シールドシェル１１には２個の接触片１１ｄが、ケーブル側コネクタ１０のアッセンブリ状態において、内側に突出するように切り起こし形成されている。
【００１５】
ケーブル側ハウジング１２には第１凹部１２ａ、第２凹部１２ｂおよび第３凹部１２ｃが並設されており、第２凹部１２ｂ内には８個のケーブル側端子金具１３が取付けられている。ケーブル側端子金具１３は図８に示すように、２枚に屈曲されて形成された基体１３ａと、基体１３ａの端部に一体に形成され、互いに対向して上方に延びた２個の圧接体１３ｂ１からなる電線接続部１３ｂと、基体１３ａの下方に一体に形成されたタブ１３ｃとによって構成されている。ケーブル側端子金具１３は、図６および図７に示すように基体１３ａの下面を第２凹部１２ｂ上に固定することによってケーブル側ハウジング１２に取付けられており、後述する基板側コネクタ３０と嵌合するため、ケーブル側ハウジング１２の下面からタブ１３ｃが突出している。
【００１６】
図１および図６に示すように、８個のケーブル側端子金具１３はケーブル側ハウジング１２の長手方向、すなわち図１に示したＹ方向（本明細書において、Ｘ方向、Ｙ方向あるいはＺ方向と言う場合、特に述べていなければ方向のみをさしており、その向きについては言及しておらず、図示された矢印の向きとは無関係である）に並べられ、隣接するケーブル側端子金具１３同士は、図１に示したＸ方向において互いに電線接続部１３ｂに対してタブ１３ｃが反対側に配置されるように、すなわち隣接するケーブル側端子金具１３同士は、Ｘ方向において互いに背中合わせとなるように取付けられており、基体１３ａ、電線接続部１３ｂおよびタブ１３ｃ同士は、各々いわゆる千鳥型配置とされている。
【００１７】
ケーブル側ハウジング１２のケーブル側端子金具１３の取付部付近には、電線保持部１２ｄが一体に形成されている。それぞれの電線保持部１２ｄは図１に示したＸ方向において、各ケーブル側端子金具１３と一直線上に並べられ、図１に示したＹ方向に隣接する電線保持部１２ｄは、Ｘ方向において互いにケーブル側端子金具１３に対して反対側に配置され、電線保持部１２ｄも上述した千鳥型配置とされている。また、非導電性材料にて形成されたクランク状の電線押圧体１４が、その回動部１４ｂにおいてケーブル側ハウジング１２に回動可能に取付けられている。電線押圧体１４は、その中央部に複数の溝によって構成された押圧部１４ａを備えている。
【００１８】
更に、ケーブル側ハウジング１２には、上述したシールドシェル１１に形成された第１ロック孔１１ｂ１と係合する第１ロック片１２ｅと第２ロック孔１１ｃと係合する第２ロック片１２ｆとが形成されている。第１ロック孔１１ｂ１および第２ロック孔１１ｃは、それぞれ第１ロック片１２ｅおよび第２ロック片１２ｆと係合することによって、シールドシェル１１がケーブル側ハウジング１２に対して閉状態とされる。尚、ケーブル側ハウジング１２には、後述する基板側コネクタ３０との嵌合位置を定めるために、その外周面の２箇所に切欠部１２ｇが備えられている。
【００１９】
上述したケーブル側ハウジング１２上には、図２に示したように８本の電線にて構成されたフラットケーブル２０が載置される。フラットケーブル２０は、図６に詳細に示したように、その先端部は外部被覆２１が取り除かれ、ケーブル側コネクタ１０内部に配置される部位のほぼ中央部のみ芯線２４が露出している。芯線２４の露出部の両側には内部被覆２３が現れ、更に、そのフラットケーブル２０の引出し側にはシールド層２２が露出されている。
【００２０】
フラットケーブル２０のうち露出した芯線２４は、ケーブル側ハウジング１２に取付けられたケーブル側端子金具１３の２個の圧接体１３ｂ１の間と電線保持部１２ｄとに圧接された後、電線押圧体１４を回動部１４ｂを中心として回動させて、押圧部１４ａにて芯線２４を押圧する。フラットケーブル２０の先端部は、ケーブル側ハウジング１２の第３凹部１２ｃに取付けられた整列シート１５内に固定されることによって、各々の内部被覆２３が互いに均等な間隔で配置される。
【００２１】
一方、露出されたシールド層２２は、第１凹部１２ａに設置され、導電性材料にて形成された短絡体１６に挿通され、互いに均等な間隔を保持するように配置される。短絡体１６はシールドシェル１１をケーブル側ハウジング１２に対して閉状態にすることによって、シールドシェル１１の接触片１１ｄと当接するため、フラットケーブル２０のシールド層２２は短絡体１６を介してシールドシェル１１と連結し、フラットケーブル２０端部のシールド回路を成立させる。
【００２２】
一方、図４に示すように、基板側コネクタ３０は基板側ハウジング３１に基板側端子金具３２を取付けたものである。基板側端子金具３２は端部に各々突出部３２ｂを含んだ対向する一対の可撓片３２ａを備えており、可撓片３２ａには図示しない電子基板に半田付け等で固定される取付部３２ｃが一体に連結されている。一対の可撓片３２ａは、基板側コネクタ３０が取付けられた電子基板に平行な方向に延在している。可撓片３２ａは互いに離れるように撓み可能とされている。また、突出部３２ｂの間には、ケーブル側端子金具１３のタブ１３ｃの厚みよりも狭い隙間が形成されている。更に、突出部３２ｂの上面には、上述したケーブル側端子金具１３のタブ１３ｃが、上方より突出部３２ｂ間に挿入されやすいように斜面３２ｂ１（図８示）が形成されている。
【００２３】
基板側ハウジング３１には２つの端子保持部３１ａが対向して形成され、各々の端子保持部３１ａと基板側ハウジング３１の底面との間に、４個の基板側端子金具３２が配置され、すなわち基板側ハウジング３１の底面上に基板側端子金具３２がケーブル側端子金具１３のタブ１３ｃの位置に合わせて２列に取付けられている。各々の端子保持部３１ａの上面には４個の開口部３１ａ１が形成されているため、基板側端子金具３２の可撓片３２ａの上方は開放されている。また、基板側ハウジング３１の両側面より基板側端子金具３２の取付部３２ｃが突出している。更に、基板側ハウジング３１の外周部の２箇所には、上述したケーブル側ハウジング１２に形成された切欠部１２ｇに挿入されるように、凸部３１ｂが備えられている。
【００２４】
次に、ケーブル側コネクタ１０の基板側コネクタ３０への嵌合方法について説明する。基板側端子金具３２が取り付けられた基板側ハウジング３１は、図示しない電子基板上に設置され、基板側端子金具３２の取付部３２ｃが電子基板のパターンに半田付け等される。一方、ケーブル側ハウジング１２にケーブル側端子金具１３が取付けられ、シールドシェル１１が閉じられたケーブル側コネクタ１０は、基板側コネクタ３０に嵌合させるために図４および図６に示すように、電子基板に取付けられた基板側コネクタ３０に対して垂直（電子基板に垂直な方向で、すなわち図１におけるＺ方向下向き）に接近される。
【００２５】
ケーブル側コネクタ１０は、基板側ハウジング３１の凸部３１ｂがケーブル側ハウジング１２の切欠部１２ｇ内に挿通されるように基板側コネクタ３０に接近されることで、ケーブル側端子金具１３のそれぞれのタブ１３ｃが、各基板側端子金具３２のそれぞれの可撓片３２ａの、その延びる方向に垂直な方向に接近して突出部３２ｂ間に進入し、基板側端子金具３２のそれぞれの可撓片３２ａを互いに離れるように撓ませる。
【００２６】
双方のコネクタの嵌合が進行し、図５および図７に示したように、ケーブル側端子金具１３のそれぞれのタブ１３ｃが基板側端子金具３２のそれぞれの突出部３２ｂ間に挿入され嵌合するとともに、ケーブル側ハウジング１２の下面が基板側ハウジング３１の上面に当接するとともに、図示しないロック機構によってケーブル側ハウジング１２および基板側ハウジング３１が相互にロックされることで互いの嵌合が完了し、垂直嵌合型コネクタ４０が完成する。これによって、フラットケーブル２０がケーブル側端子金具１３および基板側端子金具３２を介して電子基板と電気的に接続される。
【００２７】
上述した第１実施形態によれば、基板側端子金具３２の一対の可撓片３２ａは、基板側コネクタ３０が取付けられた電子基板と平行な方向に延在していることにより、基板側コネクタ３０の高さを極めて小さくすることができ、コネクタ全体の電子基板からの突出量を小さくすることができる。
【００２８】
また、複数のケーブル側端子金具１３を、その隣接するもの同士のタブ１３ｃが、図１におけるＸ方向において、電線接続部１３ｂに対して互いに反対側に位置するように配置されたことによって、ケーブル側端子金具１３の電線接続部１３ｂとタブ１３ｃとの連結部位である基体１３ａが、隣接するもの同士についてＸ方向において互いに反対側に配置されるため、基体１３ａが互いに干渉することがなく、ケーブル側端子金具１３の配列ピッチを狭くできコネクタをコンパクト化できる。
【００２９】
＜第２実施形態＞
次に、本発明の第２実施形態を図９乃至図１７に基づいて説明する。本実施形態については、上述した第１実施形態と異なる構成を中心に説明する。図１７に示すように、ケーブル側端子金具５３は段付形状の基体５３ａと、基体５３ａの一端に一体に形成され、互いに対向して上方に延びた２個の圧接体５３ｂ１からなる電線接続部５３ｂと、基体１３ａの他端において一体に形成され下方に延びたタブ５３ｃとによって構成されている。
【００３０】
図示しないが、第１実施形態と同様に８個のケーブル側端子金具５３は、ケーブル側ハウジング５２の長手方向（図９に示したＹ方向）に、隣接するケーブル側端子金具５３同士が、Ｘ方向において電線接続部５３ｂに対するタブ５３ｃの位置が反対になるように、すなわち図９におけるＸ方向において互いに背中合わせとなるように取付けられている。したがって、基体５３ａ、電線接続部５３ｂおよびタブ５３ｃ同士は、各々いわゆる千鳥型配置とされている。
【００３１】
一方、基板側端子金具６２は端部に各々突出部６２ｂを含んだ対向する一対の可撓片６２ａを備えており、可撓片６２ａには図示しない電子基板に半田付け等で固定される取付部６２ｃが一体に連結されている。一対の可撓片６２ａは、基板側コネクタ６０が取付けられた電子基板に平行な方向に延在している。突出部６２ｂの間には、ケーブル側端子金具５３のタブ５３ｃの厚みよりも狭い隙間が形成されている。また、可撓片６２ａは互いに離れるように撓み可能とされており、可撓片６２ａ間にはタブ５３ｃが収容可能な空間部６２ｄが形成されている。ケーブル側端子金具５３のタブ５３ｃの位置に合わせて、図９に示すように、基板側端子金具６２が基板側ハウジング６１の底面上に４個づつ２列に配置されている。
【００３２】
本実施形態の垂直嵌合型コネクタ７０も、シールドシェル５１およびケーブル側ハウジング５２とを備えたケーブル側コネクタ５０と基板側コネクタ６０とを嵌合させることによって構成される。基板側ハウジング６１の外周部の２箇所には大サイズの凸部６１ａが形成され、基板側ハウジング６１の角部の２箇所には小サイズの凸部６１ｂが形成され、各々の凸部６１ａの図９における右側には右側面６１ａ１、左側には左側面６１ａ２が形成されている。
【００３３】
また、凸部６１ａおよび凸部６１ｂにはそれぞれロック用の溝部６１ｃおよび６１ｄが形成されている。一方、ケーブル側ハウジング５２には、その外周面の２箇所に凸部６１ａを受け入れる切欠部５２ａが形成され、各々の切欠部５２ａの右側には右側面５２ａ１、左側には左側面５２ａ２が備えられており、切欠部５２ａのＸ方向の長さは、凸部６１ａを収容しても余りあるような大きさに形成されている。また、左側面５２ａ２にはロック用の突出部５２ｂが形成され、ケーブル側ハウジング５２の端面にも２個のロック用の突出部５２ｃが形成されている。その他の構成については、第１実施形態と同様であるため、詳説は割愛する。
【００３４】
次に、ケーブル側コネクタ５０の基板側コネクタ６０への嵌合方法について説明する。基板側端子金具６２の取付部６２ｃを図示しない電子基板のパターンに半田付け等して、基板側コネクタ６０を電子基板に取付けた後、図９および図１４に示すようにケーブル側コネクタ５０および基板側コネクタ６０を、それぞれケーブル側端子金具５３および基板側端子金具６２が対向するように配置して、ケーブル側コネクタ５０を電子基板に取付けられた基板側コネクタ６０に対して垂直（電子基板に垂直な方向で、すなわち図９におけるＺ方向下向き）に接近させることで、ケーブル側端子金具５３のそれぞれのタブ５３ｃも、各基板側端子金具６２のそれぞれの可撓片６２ａの延びる方向に垂直な方向に接近する。
【００３５】
ケーブル側ハウジング５２の切欠部５２ａに形成された右側面５２ａ１を、基板側ハウジング６１の凸部６１ａに形成された右側面６１ａ１に係合させつつ、ケーブル側ハウジング５２の下面を基板側ハウジング６１の上面に当接させることによって、図１２および図１５に示したように、ケーブル側端子金具５３のタブ５３ｃが基板側端子金具６２との正規の嵌合位置よりも、図９のＸ方向において左方に配置される。
【００３６】
すなわち、図１２の左側列においてはケーブル側端子金具５３のそれぞれのタブ５３ｃが基板側端子金具６２のそれぞれの空間部６２ｄ内に配置され、右側列においてはタブ５３ｃが基板側端子金具６２のそれぞれの突出部６２ｂの前方に配置される。この状態においては、当然のことながら双方の端子金具は互いに嵌合に至っていない。
【００３７】
その後、図１０に示すようにケーブル側コネクタ５０を基板側コネクタ６０に対してＸ方向（すなわち電子基板と平行な方向であって、可撓片６２ａの延びる方向）において右向きに移動させると、ケーブル側端子金具５３も基板側端子金具６２に対して移動して、ケーブル側端子金具５３のそれぞれのタブ５３ｃが各基板側端子金具６２のそれぞれの突出部６２ｂ間に進入し、それぞれの可撓片６２ａを互いに離れるように撓ませる。
【００３８】
ケーブル側コネクタ５０のＸ方向への移動が進行すると、図１１、図１３および図１６に示したように、ケーブル側端子金具５３のそれぞれのタブ５３ｃが基板側端子金具６２のそれぞれの突出部６２ｂ間に挿入され嵌合するとともに、ケーブル側ハウジング５２の切欠部５２ａに形成された左側面５２ａ２が基板側ハウジング６１の凸部６１ａに形成された左側面６１ａ２に当接する。
【００３９】
これとともに、ケーブル側ハウジング５２のロック用の突出部５２ｂおよび５２ｃが、基板側ハウジング６１のロック用の溝部６１ｃおよび６１ｄにそれぞれ嵌合して、ケーブル側コネクタ５０が基板側コネクタ６０に対して垂直方向に抜け止めされて互いの嵌合が完了し、垂直嵌合型コネクタ７０が完成する。これによって、フラットケーブル２０がケーブル側端子金具５３および基板側端子金具６２を介して電子基板と電気的に接続される。
【００４０】
上述した第２実施形態によれば、基板側端子金具６２の一対の可撓片６２ａは、基板側コネクタ６０が取付けられた電子基板と平行な方向に延在していることにより、基板側コネクタ６０の高さを極めて小さくすることができ、コネクタ全体の電子基板からの突出量を小さくすることができる。
【００４１】
また、複数のケーブル側端子金具５３を、その隣接するもの同士のタブ５３ｃが、図１におけるＸ方向において、電線接続部５３ｂに対して互いに反対側に位置するように配置されたことによって、ケーブル側端子金具５３の電線接続部５３ｂとタブ５３ｃとの連結部位である基体５３ａが、隣接するもの同士について互いに反対側に配置されるため相互に干渉することがなく、ケーブル側端子金具５３の配列ピッチを狭くできコネクタをコンパクト化できる。
【００４２】
更に、図１６に示されたとおり、タブ５３ｃは基体５３ａの端部に形成されており、タブ５３ｃと可撓片６２ａとの嵌合状態において、基板側端子金具６２の上方にケーブル側端子金具５３の基体５３ａが配置されることがないため、垂直方向において、基板側端子金具６２が基体５３ａと干渉することがなく、基板側ハウジング６１あるいはケーブル側ハウジング５２の垂直方向の高さを小さくでき、基板からの突出量を更に小さくすることができる。
【００４３】
更に、ケーブル側コネクタ５０を基板側コネクタ６０に対して電子基板に垂直に移動させた後、電子基板に平行な方向に移動させることで、双方のコネクタを嵌合させるため、電子基板からの突出量を小さくするために双方の端子金具の垂直方向の嵌合代を小さくしても、平行な方向の嵌合代を大きくとることができ、嵌合不全を防ぐ垂直嵌合型コネクタ７０とすることができる。
【００４４】
＜他の実施形態＞
本発明は上述の記載および図面によって説明した実施形態に限定されるものではなく、例えば次のような実施形態も本発明の技術的範囲に含まれ、さらに、以下の記載以外にも、要旨を逸脱しない範囲内で種々変更して実施することができる。
（１）本発明による垂直嵌合型コネクタは、シールドコネクタ以外にも適用可能である。
（２）本発明による垂直嵌合型コネクタは、フラットケーブル以外のあらゆる種類の電線を接続するために使用される。
（３）第１実施形態の垂直嵌合型コネクタにおいて、ケーブル側端子金具を第２実施形態において使用したものに置き換える、あるいは第２実施形態の垂直嵌合型コネクタにおいて、ケーブル側端子金具を第１実施形態において使用したものに置き換えてもよい。
【図面の簡単な説明】
【図１】第１実施形態によるケーブル側コネクタの、フラットケーブルを取付ける前の斜視図である。
【図２】第１実施形態によるケーブル側コネクタの、フラットケーブルを設置したところを表す斜視図である。
【図３】第１実施形態によるケーブル側コネクタの、完成したところを表す斜視図である。
【図４】第１実施形態によるケーブル側コネクタを基板側コネクタに嵌合させる前の状態を表す斜視図である。
【図５】第１実施形態による垂直嵌合型コネクタの、嵌合したところを表す斜視図である。
【図６】図４のケーブル側コネクタおよび基板側コネクタの断面図である。
【図７】図５の断面図である。
【図８】第１実施形態によるケーブル側端子金具、および基板側端子金具の斜視図である。
【図９】第２実施形態によるケーブル側コネクタを、基板側コネクタに嵌合させる前の状態を表す斜視図である。
【図１０】第２実施形態によるケーブル側コネクタを、基板側コネクタに対して電子基板に垂直な方向に移動させた後、電子基板に平行な方向に移動させる前の状態を表す斜視図である。
【図１１】第２実施形態による垂直嵌合型コネクタの、嵌合したところを表す斜視図である。
【図１２】垂直嵌合型コネクタが図１０の状態にあるときの、双方の端子金具の関係を表す上面図である。
【図１３】垂直嵌合型コネクタが図１１の状態にあるときの、双方の端子金具の関係を表す上面図である。
【図１４】図９のケーブル側コネクタおよび基板側コネクタの断面図である。
【図１５】図１０の断面図である。
【図１６】図１１の断面図である。
【図１７】第２実施形態によるケーブル側端子金具、および基板側端子金具の斜視図である。
【符号の説明】
１０…ケーブル側コネクタ
１１…シールドシェル
１２…ケーブル側ハウジング
１３…ケーブル側端子金具
１３ａ…基体
１３ｂ…電線接続部
１３ｃ…タブ
２０…フラットケーブル
３０…基板側コネクタ
３１…基板側ハウジング
３２…基板側端子金具
３２ａ…可撓片
３２ｂ…突出部
３２ｃ…取付部
４０…垂直嵌合型コネクタ
５０…ケーブル側コネクタ
５１…シールドシェル
５２…ケーブル側ハウジング
５３…ケーブル側端子金具
５３ａ…基体
５３ｂ…電線接続部
５３ｃ…タブ
６０…基板側コネクタ
６１…基板側ハウジング
６２…基板側端子金具
６２ａ…可撓片
６２ｂ…突出部
６２ｃ…取付部
７０…垂直嵌合型コネクタ
【図１】
2004247086.tif 000003
【図２】
2004247086.tif 000004
【図３】
2004247086.tif 000005
【図４】
2004247086.tif 000006
【図５】
2004247086.tif 000007
【図６】
2004247086.tif 000008
【図７】
2004247086.tif 000009
【図８】
2004247086.tif 000010
【図９】
2004247086.tif 000011
【図１０】
2004247086.tif 000012
【図１１】
2004247086.tif 000013
【図１２】
2004247086.tif 000014
【図１３】
2004247086.tif 000015
【図１４】
2004247086.tif 000016
【図１５】
2004247086.tif 000017
【図１６】
2004247086.tif 000018
【図１７】
2004247086.tif 000019